(57)【要約】      （修正有）【課題】飲料送出チューブの先端が人の口から脱落するのを防ぐことができる飲料補給具を提供する。【解決手段】飲料補給具１は、ポンプによる加圧空気を容器１０に送入することによって容器１０に入れた飲料７０を人の口に注ぐ用具であり、容器１０は飲料７０を入れる開口部を有する容器本体１５と開口部を塞ぐ脱着可能な蓋部１１とからなり、蓋部１１に挿通配設し、ポンプ２０によって加圧された空気を容器１０内部に送入するための空気送入チューブ３０と容器１０内部の飲料７０を送出するための飲料送出チューブ４０と、を備える。飲料送出チューブ４０の先端には、引っ掛け部材５０が取着されている。引っ掛け部材５０の金属線は、チタン又はチタン合金であることが好ましい。【選択図】図１
0003213111.tif 000002
【実用新案登録請求の範囲】
【請求項１】
ポンプによる加圧空気を容器に送入することによって、容器に入れた飲料を人の口に注ぐ飲料補給具であって、
前記容器は、飲料を入れる開口部を有する容器本体と、該開口部を塞ぐ脱着可能な蓋部と、からなり、
前記蓋部に挿通配設し、前記ポンプによって加圧された空気を前記容器内部に送入するための空気送入チューブと、
前記蓋部に挿通配設し、前記容器内部の飲料を送出するための飲料送出チューブと、を備え、
前記飲料送出チューブの先端には、前記人の口から該飲料送出チューブの先端部が脱落するのを防ぐための引っ掛け部材が取着されていることを特徴とする飲料補給具。
【請求項２】
前記飲料送出チューブは、飲料の送出量を調整するための飲料調整部材を備えている請求項１に記載の飲料補給具。
【請求項３】
前記飲料調整部材は、点滴筒及び／又はチューブ押圧調整部材である請求項２に記載の飲料補給具。
【請求項４】
前記引っ掛け部材は、先端側を輪状に形成した輪状部と、該輪状部に接続し、直線形の挿入部とからなる一本の金属線であり、該挿入部が前記送出チューブに挿入されている請求項１乃至３のうちのいずれか１項に記載の飲料補給具。
【請求項５】
前記挿入部は、該挿入部の一部を折り曲げ形成した折曲部を備えている請求項４に記載の飲料補給具。
【請求項６】
前記金属線は、チタン又はチタン合金である請求項４又は５に記載の飲料補給具。
【考案の詳細な説明】
【技術分野】
【０００１】
本考案は、飲料補給具に関する。更に詳しくは、ポンプによる加圧空気を送入することによって容器に入れた飲料を人の口に注ぐ飲料補給具に関する。
【背景技術】
【０００２】
現在の日本においては、高齢化社会となり、介護の現場は過酷を極めている。
介護への負担を少しでも軽減しようとさまざまな介護用品が普及している中で、寝たきりの人への飲料補給については、介護者又は看護師が時間をかけて少量の飲料を寝たきり人の口に含ませていた。そして従来の飲料補給具は、直接飲料送出チューブを寝たきりの人が咥え補給している。(例えば、特許文献１参照。)。
【先行技術文献】
【特許文献】
【０００３】
【特許文献１】特開２０００−２６２５９２号公報
【考案の概要】
【考案が解決しようとする課題】
【０００４】
しかし、従来、飲料補給具においては、人の口に注ぐ飲料送出チューブの先端を人の歯で噛む又は唇で咥えることによって飲料を送出していた。寝たきりの人で、咀嚼及び咥える力が弱い人にとっては、従来の人の口に注ぐチューブでは、人の口から外れやすい構造であり、上手く補給することができなかった。本考案は、前記の問題を解決するものであり、飲料送出チューブの先端が人の口から脱落するのを防ぐことができる飲料補給具を提供することを解決すべき課題としている。
【課題を解決するための手段】
【０００５】
本考案は、以下の通りである。
（１）ポンプによる加圧空気を容器に送入することによって、容器に入れた飲料を人の口に注ぐ飲料補給具であって、
前記容器は、飲料を入れる開口部を有する容器本体と、該開口部を塞ぐ脱着可能な蓋部と、からなり、
前記蓋部に挿通配設し、前記ポンプによって加圧された空気を前記容器内部に送入するための空気送入チューブと、
前記蓋部に挿通配設し、前記容器内部の飲料を送出するための飲料送出チューブと、を備え、
前記飲料送出チューブの先端には、前記人の口から該飲料送出チューブの先端部が脱落するのを防ぐための引っ掛け部材が取着されていることを特徴とする飲料補給具。
（２）前記飲料送出チューブは、飲料の送出量を調整するための飲料調整部材を備えている請求項１に記載の飲料補給具。
（３）前記飲料調整部材は、点滴筒及び／又はチューブ押圧調整部材である請求項２に記載の飲料補給具。
（４）前記引っ掛け部材は、先端側を輪状に形成した輪状部と、該輪状部に接続し、直線形の挿入部とからなる一本の金属線であり、該挿入部が前記送出チューブに挿入されている請求項１乃至３のうちのいずれか１項に記載の飲料補給具。
（５）前記挿入部は、該挿入部の一部を折り曲げ形成した折曲部を備えている請求項４に記載の飲料補給具。
（６） 前記金属線は、チタン又はチタン合金である請求項４又は５に記載の飲料補給具。
【考案の効果】
【０００６】
（１）本考案に係る飲料補給具は、飲料送出チューブの先端に、引っ掛け部材が取着されているため、人の口から飲料送出チューブの先端が脱落することを防ぐことができる。
そして、寝たきりの人、高齢者、その他の摂食障害の人の口腔内を潤すことができる。そうすることで、唾液が出にくい人の口腔を潤すことにより菌の繁殖を抑制する可能性もある。
（２）前記飲料送出チューブは、飲料の送出量を調整するための飲料調整部材を備えているため、人の口に送出される液量を調整し、口から飲料が溢れ出すのを防ぐことができる。
（３）前記飲料調整部材は、点滴筒及び／又はチューブ押圧調整部材を備えているため、寝たきりの人の状態により、飲料が送出される液量を調整することができる。
（４）前記引っ掛け部材は、先端側を輪状に形成した輪状部と該輪状部に接続し、直線形の挿入部とからなる一本の金属線である。先端側を輪状に形成した該輪状部であるため、人の口の中を傷つけることがない。また、該輪状部に接続し、直線形の該挿入部であるため、前記飲料送出チューブからの脱落を防ぐことができる。
（５）前記引っ掛け部材は、該挿入部の一部を折り曲げて形成しているため、さらに、前記飲料送出チューブからの脱落を防ぐことができる。
（６） 前記金属線は、チタン又はチタン合金であるため、金属アレルギーの人にも使用でき、さらには抗菌作用もあり衛生的である。
【図面の簡単な説明】
【０００７】
【図１】実施例の飲料補給具の斜視図である。
【図２】実施例に係る飲料補給具において、飲料調整部材の点滴筒とチューブ押圧調整部材を逆に取着した状態を示す斜視図である。
【図３】実施例に係る飲料補給具において、引っ掛け部材の拡大図である。
【図４】実施例に係る飲料補給具の、チューブ押圧調整部材の飲料調整をした使用状態の例を示す模写的な断面図である。
【図５】実施例に係る飲料補給具の使用状態を示す参考斜視図である。
【図６】実施例に係る飲料補給具において、人の口に飲料送出チューブの先端部の引っ掛け部材を引っ掛けている状態を示す拡大図である。
【考案を実施するための形態】
【０００８】
以下本考案を図１〜６を参照しながら詳細に説明する。なお、本考案は、かかる図に記載された具体例に示すものに限られず、目的、用途に応じて種々変更したものとすることができる。
【０００９】
飲料補給具１は、本考案を具体化している。飲料補給具１は、ポンプによる加圧空気を容器１０に送入することによって容器１０に入れた飲料７０を人の口に注ぐ用具である。図１に示すように、容器１０は飲料７０を入れる開口部を有する容器本体１５と該開口部を塞ぐ脱着可能な蓋部１１とからなり、ポンプ２０によって加圧された空気を容器１０内部に送入するための空気送入チューブ３０と容器１０内部の飲料７０を送出するための飲料送出チューブ４０と、を備え、前記飲料送出チューブ４０の先端部には、人の口から先端部が脱落するのを防ぐための引っ掛け部材５０が取着されている。
【００１０】
飲料補給具は点滴筒及び／又はチューブ押圧調整部材を備えていることが好ましい。飲料補給具１において、飲料送出チューブ４０ａ〜４０ｃには、飲料調整部材６０である点滴筒６５及びチューブ押圧調整部材６１が連結しているが、図２に示すように点滴筒６５とチューブ押圧調整部材６１の取付順序を逆にすることも可能である。飲料調整部材６０は寝たきりの人の状態により、飲料が送出される液量を調整することができ、人の口に注ぐ液量を調整し、口から飲料７０が溢れ出すのを防ぐことができる。チューブ押圧調整部材６１は、図４に示すように、ローラー６１ａとチューブ押圧調整部材本体６１ｂからなる。ローラー６１ａをスライドさせることにより、飲料送出チューブ４０が圧迫され飲料送出量が調整される。点滴筒６５は、送出される飲料７０の液量を目視で確認することができる。
【００１１】
飲料送出チューブ４０ｃの先端部に取着する引っ掛け部材５０は、図３に示すように、先端側を輪状に形成した輪状部５１と、輪状部５１に接続し、直線形の挿入部５５とからなる一本の金属線である。輪状部５１は先端側を輪状に形成されているため、人の口の中を傷つけることがない。挿入部５５が飲料送出チューブ４０に挿入されている。挿入部５５は、挿入部５５の一部を折り曲げて形成した折曲部５５ａを備えている。折曲部５５ａは、挿入部５５の一部を折り曲げて形成しているため、飲料送出チューブ４０からの脱落を防ぐことができる。引っ掛け部材５０の金属線はチタン又はチタン合金であるため、金属アレルギーの人にも使用でき、さらには抗菌作用もあり衛生的である。
【００１２】
以下、飲料補給具１の使用例を説明する。
飲料補給具１は、図５に示すように、容器本体１５に水などの飲料７０を入れ、脱着可能な蓋部１１を固定し、ポンプ２０の空気弁２０ａを送気側にして、数回加圧することにより、容器１０内部の空気が加圧され、飲料７０が飲料送出チューブ４０に流れ込み、人の口の中に飲料が注がれる。
なお、容器本体１５に入れる飲料７０の液量は、蓋部１１の内部の空気送入チューブ３０が飲料７０に接触しない液量を入れることとする。
【００１３】
引っ掛け部材５０は、図６に示すように、飲料送出チューブを咥えるこができない寝たきりの人でも、引っ掛け部材５０の輪状部５１を口の端に引っ掛けることにより、飲料７０を口の中に注ぐことができる。
【産業上の利用可能性】
【００１４】
本考案は、飲料補給具の技術分野において好適に利用される。
【符号の説明】
【００１５】
１・・・・飲料補給具
１０・・・・容器
１１・・・・蓋部
１５・・・・容器本体
２０・・・・ポンプ
２０ａ・・・空気弁
３０・・・・空気送入チューブ
４０、４０ａ、４０ｂ、４０ｃ・・・・飲料送出チューブ
５０・・・・引っ掛け部材
５１・・・・引っ掛け部材の輪状部
５５・・・・引っ掛け部材の挿入部
５５ａ・・・引っ掛け部材の折曲部
６０・・・・飲料調整部材
６１・・・・チューブ押圧調整部材
６１ａ・・・ローラー
６１ｂ・・・チューブ押圧調整部材本体
６５・・・・点滴筒
７０・・・・飲料
【図１】
0003213111.tif 000003
【図２】
0003213111.tif 000004
【図３】
0003213111.tif 000005
【図４】
0003213111.tif 000006
【図５】
0003213111.tif 000007
【図６】
0003213111.tif 000008